(57)【要約】【課題】駆動部を備える装置本体部の形状が変化しても、ソース基板ホルダ等の部材を変更することなく、電気部品を装置本体部に沿って配置できる電子装置を提供する。【解決手段】電子装置は、駆動部を備える装置本体部と、駆動部に配線接続される電気部品と、電気部品に対して装置本体部の側に位置する中間部材と、を備え、中間部材は、装置本体部に固定される固定部と、固定部から延出する延出部と、を備え、延出部は、少なくとも一部が電気部品に対向する対向部と、固定部と対向部との間に位置し、駆動部と電気部品との相対位置に応じた形状に変形可能な可変部と、を備える。【選択図】図２
2020204653.tif 000002
【特許請求の範囲】
【請求項１】
駆動部を備える装置本体部と、
前記駆動部に配線接続される電気部品と、
前記電気部品に対して前記装置本体部の側に位置する中間部材と、を備え、
前記中間部材は、前記装置本体部に固定される固定部と、前記固定部から延出する延出部と、を備え、
前記延出部は、少なくとも一部が前記電気部品に対向する対向部と、前記固定部と前記対向部との間に位置し、前記駆動部と前記電気部品との相対位置に応じた形状に変形可能な可変部と、を備える電子装置。
【請求項２】
前記可変部は、シート状の部材である
請求項１に記載の電子装置。
【請求項３】
前記可変部は、前記固定部からの前記延出部の延出方向とは反対方向に折り返される
請求項１又は請求項２に記載の電子装置。
【請求項４】
前記固定部は、前記装置本体部と前記電気部品との間に配置される
請求項１から請求項３のいずれか１項に記載の電子装置。
【請求項５】
更に、前記駆動部が保持されるシャーシと、
前記シャーシに設けられ、前記装置本体部から前記電気部品の側に向かって突出する柱状の突起部と、を備え、
前記延出部は、前記突起部が挿入される第１貫通孔が設けられる
請求項１から請求項４のいずれか１項に記載の電子装置。
【請求項６】
前記延出部は、シート状の弾性部材であり、前記第１貫通孔に連続するスリットが設けられ、
前記第１貫通孔の内径は、前記突起部の外径よりも小さい
請求項５に記載の電子装置。
【請求項７】
前記突起部は、前記第１貫通孔の縁部が挿入される溝部が設けられる
請求項６に記載の電子装置。
【請求項８】
前記第１貫通孔の孔径は、前記突起部の前記溝部における外径よりも小さい
請求項７に記載の電子装置。
【請求項９】
前記延出部は、前記突起部が挿入される第２貫通孔が設けられ、
前記第２貫通孔は、前記第１貫通孔よりも前記固定部の側に設けられる
請求項５から請求項８のいずれか１項に記載の電子装置。
【請求項１０】
前記装置本体部は、前記延出部の前記固定部とは反対側の端部を保持する保持部を備える
請求項１から請求項９のいずれか１項に記載の電子装置。
【請求項１１】
前記固定部は、前記延出部の延出方向と交差する方向に沿って、複数の前記延出部が設けられる
請求項１から請求項１０のいずれか１項に記載の電子装置。
【請求項１２】
前記中間部材は、前記装置本体部に沿う方向における前記電気部品の位置を決める位置決め部を備える
請求項１から請求項１１のいずれか１項に記載の電子装置。
【請求項１３】
前記位置決め部は、前記対向部から前記電気部品の側に向かって延出する
請求項１２に記載の電子装置。
【請求項１４】
前記装置本体部は、前記装置本体部における前記電気部品の側に配置されるヒートスプレッダを備え、
前記固定部は、前記ヒートスプレッダに固定される
請求項１から請求項１３のいずれか１項に記載の電子装置。
【請求項１５】
前記装置本体部は、前記駆動部としての表示パネルを備え、
前記電気部品は、フレキシブル基板によって前記表示パネルに配線接続される回路基板である
請求項１から請求項１４のいずれか１項に記載の電子装置。
【発明の詳細な説明】
【技術分野】
【０００１】
本発明は、電子装置に関する。
【背景技術】
【０００２】
特許文献１には、液晶パネルと、液晶パネルの背面側に配置されるバックライト装置と、バックライト装置の背面側に配置されるソース基板と、を備える液晶表示装置が記載されている。ソース基板は、液晶パネルに配線接続される。
【０００３】
上記バックライト装置は、導光板と、導光板の背面側に配置されるバックライトシャーシと、導光板の側面から光を入光させるＬＥＤ光源と、ＬＥＤ光源からの熱を放熱するヒートスプレッダと、を備え、ヒートスプレッダがバックライトシャーシの背面側に配置されている。ソース基板は、ヒートスプレッダに固定されるソース基板ホルダに保持され、ヒートスプレッダの背面に沿って配置され、かつ、ヒートスプレッダと電気的に絶縁されている。
【先行技術文献】
【特許文献】
【０００４】
【特許文献１】特開２０１４−９６２３５号公報
【発明の概要】
【発明が解決しようとする課題】
【０００５】
しかしながら、特許文献１に記載の液晶表示装置では、ヒートスプレッダの形状が異なる各モデルについて、ソース基板ホルダを変更しなければならない可能性があった。例えば、高輝度のバックライト装置を採用したモデルと、低輝度のバックライト装置を採用したモデルとで、バックライト装置の発熱量が異なる場合がある。バックライト装置の発熱量に応じた形状（例えば厚み）のヒートスプレッダを採用すると、ソース基板ホルダによるソース基板の固定位置がヒートスプレッダに応じて変わり、液晶パネルとソース基板との相対位置（例えば距離）が変わる場合がある。特許文献１に記載の液晶表示装置では、上記相対位置の変化を抑制して、異なるモデル間で共通の配線部材を用いて液晶パネルとソース基板とを配線接続するためには、ヒートスプレッダの形状に応じてソース基板ホルダを変更する必要があった。
【０００６】
本発明は、液晶パネルやＬＥＤ光源等の駆動部を備える装置本体部の形状が変化しても、ソース基板ホルダ等の部材を変更することなく、ソース基板等の電気部品を装置本体部に沿って配置できる電子装置を提供することを一つの目的とする。
【課題を解決するための手段】
【０００７】
本発明の第１の態様に係る電子装置は、駆動部を備える装置本体部と、前記駆動部に配線接続される電気部品と、前記電気部品に対して前記装置本体部の側に位置する中間部材と、を備え、前記中間部材は、前記装置本体部に固定される固定部と、前記固定部から延出する延出部と、を備え、前記延出部は、少なくとも一部が前記電気部品に対向する対向部と、前記固定部と前記対向部との間に位置し、前記駆動部と前記電気部品との相対位置に応じた形状に変形可能な可変部と、を備える。
【０００８】
本発明の第２の態様に係る電子装置は、上記第１の態様において、前記可変部は、シート状の部材である。
【０００９】
本発明の第３の態様に係る電子装置は、上記第１又は第２の態様において、前記可変部は、前記固定部からの前記延出部の延出方向とは反対方向に折り返される。
【００１０】
本発明の第４の態様に係る電子装置は、上記第１から第３のいずれか１の態様において、前記固定部は、前記装置本体部と前記電気部品との間に配置される。
【００１１】
本発明の第５の態様に係る電子装置は、上記第１から第４のいずれか１の態様において、更に、前記駆動部が保持されるシャーシと、前記シャーシに設けられ、前記装置本体部から前記電気部品の側に向かって突出する柱状の突起部と、を備え、前記延出部は、前記突起部が挿入される第１貫通孔が設けられる。
【００１２】
本発明の第６の態様に係る電子装置は、上記第５の態様において、前記延出部は、シート状の弾性部材であり、前記第１貫通孔に連続するスリットが設けられ、前記第１貫通孔の内径は、前記突起部の外径よりも小さい。
【００１３】
本発明の第７の態様に係る電子装置は、上記第６の態様において、前記突起部は、前記第１貫通孔の縁部が挿入される溝部が設けられる。
【００１４】
本発明の第８の態様に係る電子装置は、上記第７の態様において、前記第１貫通孔の孔径は、前記突起部の前記溝部における外径よりも小さい。
【００１５】
本発明の第９の態様に係る電子装置は、上記第５から第８のいずれか１の態様において、前記延出部は、前記突起部が挿入される第２貫通孔が設けられ、前記第２貫通孔は、前記第１貫通孔よりも前記固定部の側に設けられる。
【００１６】
本発明の第１０の態様に係る電子装置は、上記第１から第９のいずれか１の態様において、前記装置本体部は、前記延出部の前記固定部とは反対側の端部を保持する保持部を備える。
【００１７】
本発明の第１１の態様に係る電子装置は、上記第１から第１０のいずれか１の態様において、前記固定部は、前記延出部の延出方向と交差する方向に沿って、複数の前記延出部が設けられる。
【００１８】
本発明の第１２の態様に係る電子装置は、上記第１から第１１のいずれか１の態様において、前記中間部材は、前記装置本体部に沿う方向における前記電気部品の位置を決める位置決め部を備える。
【００１９】
本発明の第１３の態様に係る電子装置は、上記第１２の態様において、前記位置決め部は、前記対向部から前記電気部品の側に向かって延出する。
【００２０】
本発明の第１４の態様に係る電子装置は、上記第１から第１３のいずれか１の態様において、前記装置本体部は、前記装置本体部における前記電気部品の側に配置されるヒートスプレッダを備え、前記固定部は、前記ヒートスプレッダに固定される。
【００２１】
本発明の第１５の態様に係る電子装置は、上記第１から第１４のいずれか１の態様において、前記装置本体部は、前記駆動部としての表示パネルを備え、前記電気部品は、フレキシブル基板によって前記表示パネルに配線接続される回路基板である。
【図面の簡単な説明】
【００２２】
【図１】第１の実施形態に係る表示装置を備えるテレビジョン受信機の一例を模式的に示す図である。
【図２】図１のII−II線における表示装置の断面の概略構成を示す図である。
【図３】後側から見た際の表示装置を模式的に示す図である。
【図４】中間部材を模式的に示す図である。
【図５】中間部材における延出部の第１貫通孔の周辺を模式的に示す図である。
【図６】第１貫通孔に挿通された固定用ピンを模式的に示す図である。
【図７】表示装置の断面の概略構成を示す図である。
【図８】固定用アングルを模式的に示す図である。
【図９】アングル挿入孔に挿入された固定用アングルを模式的に示す図である。
【図１０】第２の実施形態に係る中間部材を模式的に示す図である。
【図１１】表示装置の断面の概略構成を示す図である。
【図１２】表示装置の断面の概略構成を示す図である。
【図１３】第３の実施形態に係る中間部材を模式的に示す図である。
【図１４】表示装置の断面の概略構成を示す図である。
【図１５】表示装置の断面の概略構成を示す図である。
【発明を実施するための形態】
【００２３】
以下、本発明の一態様に係る電子装置について、図面を参照しつつ説明する。なお、以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００２４】
（第１の実施形態）
以下、本発明の一態様に係る電子装置の一実施形態について説明する。図１は、電子装置の一実施形態に係るテレビジョン受信機の外観の概略構成を示す図である。図１に示すように、テレビジョン受信機１０１は、表示装置１１０と、受信部１２０と、信号処理部１３０と、を備えている。表示装置１１０は、画像を表示する表示面１１１を有する。表示装置１１０には受信部１２０及び信号処理部１３０が内蔵されている。なお、受信部１２０及び信号処理部１３０は、表示装置１１０の外部に設けられてもよい。
【００２５】
テレビジョン受信機１０１は、例えば図示しないスタンドに支持されて据え置きされるか、又は、図示しない金具に掛止されて壁掛けされる。このとき、表示装置１１０の表示面１１１は前側に向けられ、表示装置１１０の厚み方向、長手方向、及び短手方向は、それぞれ前後方向、左右方向、及び上下方向に沿う。
【００２６】
受信部１２０は、受信回路が実装された回路基板である。受信部１２０は、図示しないアンテナを介して外部からテレビジョン放送を受信し、受信したテレビジョン放送に基づく放送信号を出力する。
【００２７】
信号処理部１３０は、信号処理回路が実装された回路基板である。信号処理部１３０は、受信部１２０が出力した放送信号に所定の信号処理を施すことによって、映像データを出力する。信号処理部１３０が出力した映像データに基づく映像は、表示装置１１０の表示面１１１に表示される。
【００２８】
（表示装置の構成）
図２は、図１のII−II線における表示装置１１０の断面の概略構成の一例を示す図である。表示装置１１０は、装置本体部２０１と、装置本体部２０１に配線接続される電気部品の一例であるソース基板２０２と、ソース基板２０２に対して装置本体部２０１の側に位置する中間部材２０３と、を備える。後述するが、ソース基板２０２は、装置本体部２０１の後側に配置され、中間部材２０３によって装置本体部２０１と電気的に絶縁されている。また、ソース基板２０２は、中間部材２０３によって、少なくとも前側の位置が規制される。
【００２９】
（装置本体部の構成）
装置本体部２０１は、表示装置１１０の主要部分であり、バックライト２０４と、表示パネル２０５と、を含み構成さる。また、装置本体部２０１は、固定用ピン２０６と、固定用アングル２０７と、を備え、固定用ピン２０６及び固定用アングル２０７によって、中間部材２０３が装置本体部２０１の背面に位置決めして固定される。
【００３０】
バックライト２０４は、図２に示すように、表示パネル２０５の後側に配置され、表示パネル２０５に向かって照明光を照射する。バックライト２０４は、導光板２４１と、光源部２４２と、バックライトシャーシ２４３と、ヒートスプレッダ２４４と、を備える。
【００３１】
導光板２４１は、前後方向の平面視にて略矩形状の外形を有する板状の光学部材であり、下面に沿って配置された後述する光源２４６からの光を伝播させ、表示パネル２０５に向かって照明光を照射する。なお、図２に示す例では、導光板２４１の前面に光学シートが配置され、導光板２４１の背面（後側の面）に反射シートが配置されている。
【００３２】
光源部２４２は、例えば、光源基板２４５と、導光板２４１の下面に左右方向に沿って複数配置される光源２４６と、を備え、導光板２４１の下面に向かって光を照射する。光源基板２４５は、図２に示すように、略Ｌ字状の断面形状を有する。すなわち、光源基板２４５は、導光板２４１の下面に沿って配置される下面部２４５１と、下面部２４５１から上側に屈曲し、導光板２４１の後側に位置する背面部２４５２と、を備える。下面部２４５１には、光源２４６が設けられる。
【００３３】
バックライトシャーシ２４３は、バックライト２０４の各部材を保持する。バックライトシャーシ２４３は、導光板２４１の後側に配置され、導光板２４１を保持する。バックライトシャーシ２４３の下方側の一部において、光源基板２４５の背面部２４５２が、バックライトシャーシ２４３の後側に配置されている。バックライトシャーシ２４３は、背面部２４５２の少なくとも一部と接触している。
【００３４】
図３は、後側から見た際の表示装置１１０の構成の一例を示す図である。図３では、後述する基板カバー２１１を省略している。ヒートスプレッダ２４４は、例えばアルミニウム等の金属材料で形成され、光源部２４２等の熱源からの熱を放熱する放熱部材である。ヒートスプレッダ２４４は、装置本体部２０１におけるソース基板２０２側に配置される。図２に示す例では、ヒートスプレッダ２４４は、バックライトシャーシ２４３との間で背面部２４５２を挟むように、バックライトシャーシ２４３の背面に取り付けられる。ヒートスプレッダ２４４は、背面部２４５２とバックライトシャーシ２４３とに接触し、光源部２４２及びバックライトシャーシ２４３との間で熱交換可能である。図３に示す例では、ヒートスプレッダ２４４は、少なくとも表示装置１１０の下辺に沿って配置されている。
【００３５】
図２に示すように、ヒートスプレッダ２４４には、ボス２４７が設けられ、固定用アングル２０７がボス２４７の後端にネジで固定される。ボス２４７は、前後方向にヒートスプレッダ２４４を貫通して設けられる。ボス２４７は、後側から前後方向に沿ってネジが螺合可能なように雌ネジが形成される。前後方向におけるボス２４７の寸法は、ヒートスプレッダ２４４の寸法以上であり、ボス２４７の後側の端部がヒートスプレッダ２４４から露出している。ボス２４７の寸法を適宜設定することにより、ヒートスプレッダ２４４の厚みに関わらず、バックライトシャーシ２４３に対する所望の位置に、固定用アングル２０７を固定できる。
【００３６】
表示パネル２０５は、前後方向の平面視にて略矩形状の外形を有し、表示面１１１（図１参照）に画像を表示する。表示パネル２０５は、例えば、カラーフィルタ基板とアレー基板との間に液晶を封入することによって構成される液晶パネルである。なお、表示パネル２０５は、液晶パネルに制限されず、例えば、有機ＥＬ（Organic Electro-Luminescence）、及びマイクロＬＥＤ（Light Emitting Diode）等の各種方式の表示パネルを用いてもよい。
【００３７】
表示パネル２０５は、各画素にＴＦＴ（Thin-film-transistor）を備え、ＴＦＴのゲートラインにゲートドライバ（図示省略）が接続され、ソースラインにソースドライバ２５３が接続される（図２及び図３参照）。ソースドライバ２５３は、フレキシブル基板と、フレキシブル基板に設けられたドライバ回路と、を備える。
【００３８】
ソースドライバ２５３は、表示パネル２０５とソース基板２０２とを接続する配線の一例である。ソースドライバ２５３は、図３に示すように、表示パネル２０５の下辺に沿って複数設けられる。すなわち、表示パネル２０５は、ソースドライバ２５３によってソース基板２０２が接続される駆動部の一例である。なお、ソースドライバ２５３は、図２における切断位置とは左右方向に異なる位置に配置されているため、図２では点線で示されている。
【００３９】
表示パネル２０５は、パネルシャーシ２５１とベゼル２５２とによって前後方向から挟持され、バックライト２０４に固定される。パネルシャーシ２５１は、表示パネル２０５の上下左右の４辺に沿う枠状に構成され、スペーサを介して表示パネル２０５を後方から支持する。ベゼル２５２は、表示面１１１の側から表示パネル２０５の外周部を覆う枠状の筐体であり、スペーサを介して表示パネル２０５を前側から支持する。
【００４０】
パネルシャーシ２５１及びベゼル２５２は、図示を省略するが、左右及び上側の端部にてバックライトシャーシ２４３に固定される。また、パネルシャーシ２５１及びベゼル２５２は、下側の端部にて、固定用アングル２０７（図２参照）を介してヒートスプレッダ２４４に設けられたボス２４７に固定される。すなわち、表示パネル２０５は、パネルシャーシ２５１及びベゼル２５２に保持され、バックライトシャーシ２４３に固定される。
【００４１】
固定用アングル２０７は、固定用アングル２０７は、左右方向から見て、略Ｌ字状の形状を有し、ヒートスプレッダ２４４に沿って位置する本体部２７１と、本体部２７１の下端から前方に屈曲する屈曲部２７２と、本体部２７１の上端から前方に屈曲する鈎部２７３と、を備える。なお、固定用アングル２０７は、後述するように、中間部材２０３の端部を保持する保持部である。
【００４２】
本体部２７１がヒートスプレッダ２４４のボス２４７に、屈曲部２７２がパネルシャーシ２５１及びベゼル２５２に、それぞれネジで固定される。これにより、パネルシャーシ２５１及びベゼル２５２の下端部分が、固定用アングル２０７を介してヒートスプレッダ２４４に固定される。なお、鈎部２７３が、ヒートスプレッダ２４４に形成された溝に挿入されることにより、固定用アングル２０７がヒートスプレッダ２４４に対して位置決めされる。
【００４３】
また、バックライトシャーシ２４３には、中間部材２０３の後述する延出部２３２を位置決めするための固定用ピン２０６が設けられている。固定用ピン２０６は、装置本体部２０１からソース基板２０２の側、すなわち後方に向かって突出する柱状の突起部である。本実施形態では、固定用ピン２０６は、略円柱状の部材であり、バックライトシャーシ２４３から後方に突出する。固定用ピン２０６は、図３に示すように、後述する延出部２３２に対応する位置に、左右方向に沿って複数設けられている。なお、固定用ピン２０６は、円柱状に限定されず、例えば、角柱、円錐、角錐等でもよい。
【００４４】
固定用ピン２０６は、溝部２６１が設けられている。溝部２６１は、円柱状の固定用ピン２０６の周方向に沿って形成される。すなわち溝部２６１は、固定用ピン２０６の延出方向（前後方向）に交差する仮想面に沿って設けられる。溝部２６１は、固定用ピン２０６におけるヒートスプレッダ２４４から露出する位置に設けられている。固定用ピン２０６は、後に詳述するように、溝部２６１の位置で、延出部２３２を位置決めする。これにより、延出部２３２を、バックライトシャーシ２４３に対して、前後方向における所定位置に固定できる。
【００４５】
（ソース基板の構成）
ソース基板２０２は、電気部品に相当し、画像信号に応じて、ＴＦＴの駆動信号を生成する信号処理回路や、タイミングコントローラ（ＴＣＯＮ：Timing Controller）等の各種の処理回路が設けられている回路基板である。
【００４６】
ソース基板２０２は、図３に示すように、表示パネル２０５の背面側に、表示パネル２０５の下側の周縁部に沿って配置され、左右方向を長手方向とし、上下方向を短手方向とする略矩形状の基板である。ソース基板２０２は、下方からソースドライバ２５３が接続される。
【００４７】
ソース基板２０２は、ソースドライバ２５３を構成するフレキシブル基板の弾性力によって、下側から支持されている。ソース基板２０２は、表示パネル２０５に対して、ソースドライバ２５３の形状に応じた位置に配置される。ソース基板２０２の位置は、後述するように中間部材２０３によって規制される。なお、本実施形態では、２つのソース基板２０２が配置される構成が例示されているが、ソース基板２０２の数は図示例に制限されない。
【００４８】
なお、ソース基板２０２は、装置本体部２０１の背面側に固定された基板カバー２１１によって少なくとも一部が覆われ、保護されている。基板カバー２１１は、図２に示すように、略Ｌ字状の断面形状を有し、ソース基板２０２の上方及び後方に位置する。基板カバー２１１は、図示を省略するが、例えばヒートスプレッダ２４４等にネジ等で固定されている。基板カバー２１１は、例えば、ソース基板２０２の上端部に接触するように配置されてもよく、これにより、ソース基板２０２の位置を上方から規制することができる。
【００４９】
（中間部材の構成）
中間部材２０３は、図２に示すように、装置本体部２０１のヒートスプレッダ２４４等の部材とソース基板２０２との間に配置される。すなわち、中間部材２０３は、ソース基板２０２に対して装置本体部２０１の側に配置される。中間部材２０３は、シート状の弾性部材、より具体的には絶縁シートで形成され、装置本体部２０１とソース基板２０２との干渉を抑制するとともに、装置本体部２０１とソース基板２０２とを電気的に絶縁する。
【００５０】
図４は、中間部材２０３を展開した状態を模式的に示す平面図である。図４において、Ｘ方向は、図１における左右方向に対応し、Ｘ方向に直交するＹ方向は図１における上下方向に対応する。中間部材２０３は、図２及び図４に示すように、装置本体部２０１に固定される固定部２３１と、固定部２３１から延出する延出部２３２と、を備える。
【００５１】
固定部２３１は、図４に示すように、Ｘ方向（左右方向）を長手方向とする矩形状に形成される。固定部２３１は、固定用アングル２０７が設けられる位置に切り欠きが設けられている。固定部２３１は、図２に示すようにヒートスプレッダ２４４に対して、例えば接着剤により固定され、少なくとも一部が装置本体部２０１とソース基板２０２との間に配置される。固定部２３１は、左右方向においてヒートスプレッダ２４４の略全域に形成されている。すなわち、ソース基板２０２の前方には固定部２３１が配置されているので、ソース基板２０２がヒートスプレッダ２４４と干渉することを抑制できる。
【００５２】
図４に示すように、延出部２３２は、固定部２３１からＹ方向に沿って延出する。複数の延出部２３２が、Ｘ方向に沿って互いに離間する位置に設けられる。１つの固定部２３１に対して複数の延出部２３２を設けることにより、組み立て作業を簡略化できる。
【００５３】
延出部２３２は、図２に示すように、少なくとも一部がソース基板２０２に対向する対向部２３３と、固定部２３１と対向部２３３との間に位置し、表示パネル２０５とソース基板２０２との相対位置に応じた形状に変形可能な可変部２３４と、を備える。本実施形態では、対向部２３３及び可変部２３４は、絶縁シートの一部として一体的に形成される。対向部２３３は、延出部２３２の固定部２３１とは反対側の端部（先端部）を含む延出部２３２の一部である。
【００５４】
延出部２３２は、図２に示す例では、折り返された状態で、先端部が固定用アングル２０７に保持され、配置される。すなわち、延出部２３２は、固定部２３１から上方に向かって延出され、可変部２３４において固定部２３１からの延出方向とは反対方向に折り返される。これにより、対向部２３３は、その少なくとも一部がソース基板２０２の前面に対向するように、ヒートスプレッダ２４４の背面側に配置される。また、折り返されない場合と比べて、小さいスペースに中間部材２０３を配置できる。
【００５５】
延出部２３２では、可変部２３４の変形によって、固定部２３１に対する対向部２３３の位置を変更可能である。例えば、異なるモデル間で、ヒートスプレッダ２４４の前後方向の厚み寸法が異なる場合でも、ソースドライバ２５３の形状に応じた位置に配置されたソース基板２０２に、対向部２３３が近接又は接触するように、対向部２３３の位置を調整できる。また、可変部２３４は、シート状の部材で形成されているため、任意の位置で変形できる。したがって、対向部２３３の位置調整の自由度を向上させることができる。
【００５６】
延出部２３２は、図２に示すように、第１貫通孔２３５と、第２貫通孔２３６と、アングル挿入孔２３７と、が形成されている。第１貫通孔２３５及び第２貫通孔２３６に固定用ピン２０６が挿入され、アングル挿入孔２３７に固定用アングル２０７が挿入され、これにより、延出部２３２が、装置本体部２０１に対して位置決めされ、保持される。
【００５７】
第１貫通孔２３５及び第２貫通孔２３６は、図４に示すように、延出部２３２の延出方向に互いに離間する位置に設けられる。例えば、第１貫通孔２３５及び第２貫通孔２３６は、可変部２３４に相当する領域に設けられる。また、第１貫通孔２３５及び第２貫通孔２３６は、延出部２３２を折り返して配置する場合の屈曲部分を挟む位置に設けられている。
【００５８】
図５は、延出部２３２の第１貫通孔２３５の周辺を模式的に示す図である。図５に示すように、延出部２３２には、第１貫通孔２３５の外側から内側に向かって、第１貫通孔２３５に連続するスリット５０１が形成されている。延出部２３２には、第１貫通孔２３５の外側から内側に向かって、第１貫通孔２３５に連続するスリット５０１が形成されている。複数のスリット５０１は、第１貫通孔２３５の縁部５０２に沿って放射状に形成されている。
【００５９】
図６は、延出部２３２と、第１貫通孔２３５に挿通された固定用ピン２０６との断面を模式的に示す図である。第１貫通孔２３５の孔径５０３（図５参照）は、固定用ピン２０６の外径（ピン径とも称する）６０１よりも小さい。このような構成では、第１貫通孔２３５に対して固定用ピン２０６が圧入されるので、第１貫通孔２３５に対して固定用ピン２０６を挿通可能としつつ、第１貫通孔２３５に対する固定用ピン２０６の挿通位置の変化、すなわち延出部２３２の前後方向における位置の変化を抑制できる。
【００６０】
また、本実施形態では、第１貫通孔２３５の縁部５０２が、溝部２６１に係合されるため、延出部２３２の前後方向における位置の変化をより好適に抑制できる。さらに、本実施形態では、第１貫通孔２３５の孔径５０３は、固定用ピン２０６の溝部２６１の外径（溝部径）６０２よりも小さい。このような構成では、図６に示すように、第１貫通孔２３５の縁部５０２が、スリット５０１により変形して溝部２６１の内面を押圧して、より強固に溝部２６１に係合されるため、上記延出部２３２の位置の変化をより好適に抑制できる。
【００６１】
第２貫通孔２３６は、第１貫通孔２３５よりも固定部２３１側に設けられる。図２に示すように、第２貫通孔２３６は、固定用ピン２０６が挿通された際に、第１貫通孔２３５よりも固定用ピン２０６の基端側に位置する。
【００６２】
第２貫通孔２３６の孔径は、固定用ピン２０６のピン径６０１と略同じか、ピン径６０１よりも大きい。このため、前後方向において第２貫通孔２３６の挿通位置を変更することができ、これにより固定部２３１と対向部２３３との相対位置を変更できる。したがって、装置本体部２０１の後側の形状によらず、ソース基板２０２が表示パネル２０５に対して所定の位置に配置されるように、対向部２３３の相対位置を変更できる。
【００６３】
図７は、図２と比べてヒートスプレッダ２４４の厚み寸法が小さい場合の表示装置１１０の断面を模式的に示す図である。表示装置１１０は、バックライト２０４等の発熱量に応じた厚みのヒートスプレッダ２４４が配置される場合がある。例えば、高輝度のバックライトと、低輝度のバックライトとでは発熱量が異なる。図７に示す例では、図２に示す例と比べて低輝度のバックライト２０４が用いられ、より薄いヒートスプレッダ２４４が設けられている。ソース基板２０２を、基板ホルダによってヒートスプレッダ２４４等の装置本体部に固定する場合、ソース基板２０２を表示パネル２０５に対して所定の位置に配置するには、ヒートスプレッダ２４４の厚み応じて基板ホルダを変更する必要がある。また、基板ホルダを変更せずに、ソース基板２０２と表示パネル２０５との距離に応じて、ソースドライバ２５３の長さを変更する必要があった。このように、装置本体部２０１の背面形状に応じた基板ホルダやソースドライバを用いることにより、モデル間で部品を共通化できず、製造上の効率が低下するおそれがあった。
【００６４】
これに対して、本実施形態では、図７に示すように、ヒートスプレッダ２４４の厚みが異なる場合、すなわち、ソース基板２０２とヒートスプレッダ２４４との距離が異なる場合でも、第２貫通孔２３６の挿通位置を変更することにより、延出部２３２における折り返し位置を変更でき、対向部２３３の位置を変更せずに、固定部２３１と対向部２３３との相対位置を変更できる。したがって、モデル間で部品を共通化でき、製造上の効率の向上を図ることがきる。
【００６５】
図８は、上述の固定用アングル２０７の一例を模式的に示す斜視図である。図９は、アングル挿入孔２３７に固定用アングル２０７が挿入された延出部２３２の先端部分を模式的に示す図である。固定用アングル２０７は、図８に示すように括れ部８０１が形成される。括れ部８０１は、本体部２７１における左右方向における寸法が他の部分よりも小さい。図９に示すように、括れ部８０１は、アングル挿入孔２３７に挿入される。これにより、固定用アングル２０７は、延出部２３２の一部、本実施形態では固定部２３１とは反対側の端部を含む対向部２３３を保持する。延出部２３２は、固定部２３１側と先端側との二か所で、装置本体部２０１に固定されるため、延出部２３２の位置ずれが抑制される。
【００６６】
アングル挿入孔２３７は、図９に示すように、延出部２３２の固定部２３１とは反対側の端部に形成される。延出部２３２には、延出部２３２の延出方向の先端部からアングル挿入孔２３７に亘る切り欠き９０１と、延出方向に沿ってアングル挿入孔２３７に連続するスリット９０２と、が形成される。スリット９０２により、延出部２３２の先端部を変形させることができ、固定用アングル２０７をアングル挿入孔２３７に挿入しやすくできる。
【００６７】
左右方向における、固定用アングル２０７の本体部２７１の寸法は、アングル挿入孔２３７の寸法よりも大きい。これにより、固定用アングル２０７は、括れ部８０１の形成位置で延出部２３２を保持することができ、延出部２３２の位置ずれを抑制できる。
【００６８】
（第２の実施形態）
次に、第２の実施形態について説明する。なお、下記において第１の実施形態と同様である点については説明を省略する。第２の実施形態では、中間部材が、ソース基板２０２（電気部品）の上下及び後方の位置を規制する位置決め部を備える点で、第１の実施形態と異なる。
【００６９】
図１０は、第２の実施形態における中間部材を展開した状態を示す平面図である。図１１及び図１２は、表示装置の断面の概略構成の一例を示す図である。中間部材１０００は、ソース基板２０２の下方位置を規定する第１位置決め部１００１と、ソース基板２０２の上方方位置及び後方位置を規定する第２位置決め部１００２と、を備える。
【００７０】
第１位置決め部１００１は、図１０に示すように、固定部２３１の−Ｙ側の端部（図１１及び図１２における下端）から延出する。第１位置決め部１００１は図１１及び図１２に示すように、後方に向かって屈曲され、ソース基板２０２の下方に配置される。第１位置決め部１００１の延出方向の寸法は、ヒートスプレッダの厚み最大値よりも大きい値であればよい。これにより、ヒートスプレッダの厚みに応じて、固定部２３１とソース基板２０２との相対位置が変化しても、第１位置決め部１００１をソース基板２０２の下方に配置することができる。
【００７１】
第２位置決め部１００２は、図１０に示すように、固定部２３１の上端から延出する。第２位置決め部１００２は、図１１及び図１２に示すように、ヒートスプレッダ２４４の厚みに応じて２か所で屈曲され、ソース基板２０２の上端部の一部を覆う。すなわち、第２位置決め部１００２は、ソース基板２０２の上方に位置する上側部１１０１と、後方に位置する後側部１１０２と、を有する。第２位置決め部１００２の延出方向（図１０におけるＹ方向）の寸法は、ヒートスプレッダ２４４の厚みの最大値に、後側部１１０２の最小寸法を加算した値である。これにより、ヒートスプレッダ２４４の厚みに応じて、固定部２３１とソース基板２０２との相対位置が変化しても、第２位置決め部１００２をソース基板２０２の上方及び後方に配置することができる。
【００７２】
なお、第２の実施形態では、第１位置決め部１００１が１か所で屈曲する構成を例示したが、第２位置決め部１００２と同様に、２か所で屈曲する構成を採用してもよい。また、第２位置決め部１００２が２か所で屈曲する構成を例示したが、１か所で屈曲する構成としてもよい。
【００７３】
（第３の実施形態）
次に、第３の実施形態について説明する。第３の実施形態では、第２の実施形態における第２位置決め部が、固定部ではなく延出部に設けられている点で、第２の実施形態と相違している。また、第３の実施形態では、固定部に対して１の延出部が設けられている点で、第１及び第２の実施形態と相違している。
【００７４】
図１３は、第３の実施形態における中間部材を展開した状態を示す平面図である。図１４及び図１５は、表示装置の断面の概略構成の一例を示す図である。なお、図１４は、図１３の第１位置決め部１３０３を含む位置における断面図であり、図１５は、図１４の第２位置決め部１３０４を含む位置における断面図である。中間部材１３００は、固定部１３０１と、固定部１３０１からＹ方向に延出する１つの延出部１３０２と、を備える。このような構成では、固定部１３０１の面積を小さくできるので、より小さいスペースでも固定部１３０１を配置可能であり、設計上の自由度を向上させることができる。
【００７５】
固定部１３０１は、図１３に示すように、平面視で略Ｌ字形状であり、第１位置決め部１３０３を備える。第１位置決め部１３０３は、第２の実施形態と同様に、固定部１３０１の−Ｙ側の端部から延出する。第１位置決め部１３０３は、図１４に示すように後方に向かって屈曲され、ソース基板２０２の下方に配置される。
【００７６】
延出部１３０２は、図１３に示すように、Ｘ方向（左右方向に対応）における、第１位置決め部１３０３とは異なる位置からＹ方向に延出する。延出部１３０２は、対向部２３３と、可変部２３４と、を備える。第２位置決め部１３０４を備える。
【００７７】
第２位置決め部１３０４は、図１５に示すように、延出部１３０２が折り返された状態で、後方に向かって屈曲され、ソース基板２０２の上方に位置する。第２位置決め部１３０４の延出方向の寸法は、例えば、ソース基板２０２の厚み程度である。第３の実施形態では、第２位置決め部１３０４は、延出方向（Ｙ方向）における第１貫通孔２３５よりも先端側、例えば対向部２３３に設けられている。したがって、第２位置決め部１３０４が、対向部２３３の位置から後方に屈曲されるので、ヒートスプレッダ２４４の厚みによらず、第２位置決め部１３０４の寸法を所定値とすることができる。
【００７８】
なお、第３の実施形態では、第１位置決め部１３０３が固定部１３０１に形成されていたが、第２位置決め部１３０４と同様に延出部１３０２に設けられてもよい。すなわち、第１位置決め部１３０３は、対向部２３３のソース基板２０２の下端に対応する位置に設けられてもよい。
【００７９】
（変形例）
本発明に係る表示装置は、上述の実施形態に限定されず、本発明の技術的思想の範囲内において、各種の変形によって得られる構成は本発明に含まれるものである。
【００８０】
上記各実施形態では、中間部材は、固定部と対向部と可変部とが一体的に形成される構成を例示したが、上記実施形態の構成に限定されない。例えば、固定部に対して変形可能な延出部を設け、延出部と固定部とを別の部材で形成してもよい。また、固定部と可変部とを変形可能な部材で一体的に形成し、対向部のみを別部材としてもよい。また、固定部と可変部と対向部とをそれぞれ別部材で形成してもよく、この場合、可変部のみを変形可能な部材で形成してもよい。
【００８１】
上記各実施形態では、中間部材が、シート状の弾性体で形成される構成を例示したが、これに限らない。例えば、中間部材は、少なくとも可変部が塑性変形可能な部材で形成されてもよい。このような場合でも、可変部を変形させることにより、固定部と対向部との相対位置を調整可能である。なお、この場合、固定用ピン（突起部）及び固定用アングル(保持部)を設けなくともよい。
【００８２】
上記各実施形態では、第１貫通孔及び第２貫通孔が、可変部に形成されているが、例えば、第１貫通孔のみが延出部に形成されている構成としてもよい。また、例えば、第１貫通孔が対向部に形成されていてもよく、第２貫通孔が固定部に形成されていてもよい。
【００８３】
上記各実施形態では、第１貫通孔及び第２貫通孔が円形状の構成を例示したが、これに限らず、例えば、楕円形状、長円形状、及び多角形状等でもよい。また、第１貫通孔及び第２貫通孔が円形状ではない場合の孔径は、例えば、縁部の最小寸法である。
【００８４】
上記各実施形態では、固定用ピン（突起部）の溝部に中間部材を係合固定する構成を例示したが、固定用ピンに溝部を設けなくともよい。例えば、固定用ピンを中間部材の第１貫通孔に圧入する構成としてもよい。なお、固定用ピン（突起部）を設けずに、固定用アングル（保持部）のみで、中間部材の端部を保持してもよい。
【００８５】
上記各実施形態では、固定用アングル（保持部）は、中間部材のアングル挿入孔に挿入されて、係合されることにより、中間部材を保持する構成を例示した。保持部は、上記構成に限らず、例えば、中間部材を挟持する挟持部を備えてもよく、また、中間部材が接着固定されてもよい。なお、保持部を設けなくてもよく、固定用ピン(突起部)のみで、中間部材を固定してもよい。
【００８６】
上記各実施形態では、延出部が折り返えされた状態で中間部材が配置されているが、延出部を折り返さずに配置してもよい。この場合、可変部を屈曲させることにより、固定部と対向部との相対位置を調整可能である。
【００８７】
上記各実施形態では、本発明の一態様に係る電子装置の一実施形態として、駆動部として表示パネルを備え、電気部品としてソース基板（回路基板）を備える表示装置を例示したが、本発明は上記実施形態に限らない。例えば、本発明の一態様に係る電子装置は、駆動部としてバックライトを備え、電気部品としてバックライトの制御基板を備える照明装置として構成されてもよい。また、電子装置は、表示装置や照明装置等に限らず、各種の装置に本発明を適用可能である。
【符号の説明】
【００８８】
１０１  テレビジョン受信機
１１０  表示装置
１１１  表示面
１２０  受信部
１３０  信号処理部
２０１  装置本体部
２１１  基板カバー
２０２  ソース基板
２０３  中間部材
２０４  バックライト
２０５  表示パネル
２０６  固定用ピン
２０７  固定用アングル
２３１  固定部
２３２  延出部
２３３  対向部
２３４  可変部
２３５  第１貫通孔
２３６  第２貫通孔
２３７  アングル挿入孔
２４１  導光板
２４２  光源部
２４３  バックライトシャーシ
２４４  ヒートスプレッダ
２４５  光源基板
２４６  光源
２４７  ボス
２５１  パネルシャーシ
２５２  ベゼル
２５３  ソースドライバ
２６１  溝部
２７１  本体部
２７２  屈曲部
２７３  鈎部
５０１  スリット
５０２  第１貫通孔の縁部
８０１  括れ部
９０１  切り欠き
９０２  スリット
１００１  第１位置決め部
１００２  第２位置決め部
１１０１  上側部
１１０２  後側部
１３０１  固定部
１３０２  延出部
１３０３  第１位置決め部
１３０４  第２位置決め部
２４５１  下面部
２４５２  背面部
【図１】
2020204653.tif 000003
【図２】
2020204653.tif 000004
【図３】
2020204653.tif 000005
【図４】
2020204653.tif 000006
【図５】
2020204653.tif 000007
【図６】
2020204653.tif 000008
【図７】
2020204653.tif 000009
【図８】
2020204653.tif 000010
【図９】
2020204653.tif 000011
【図１０】
2020204653.tif 000012
【図１１】
2020204653.tif 000013
【図１２】
2020204653.tif 000014
【図１３】
2020204653.tif 000015
【図１４】
2020204653.tif 000016
【図１５】
2020204653.tif 000017